(57)【要約】【構成】出荷輸送時の深さサイズを小さくし、リクライニング調節時にシートを制御することができるリクライニング制御装置を有する幼児用シートである。シートの最も深い部分が梱包時にシートの残りの部分に収納できるが、使用時には所定の正しい位置にロックできるようにシートを構成する。リクライニング制御装置の好適な実施態様では、シートピボット部材上のダイヤルを使用する。ダイヤルを押し込み、シートを解放してリクライニング位置にするが、ダイヤルがシートのブランコ運動を完全に制御できるようにシートにダイヤルを相互連結する。別な実施態様では、シートの後ろ側で制御装置が支持ワイヤを受け取り、これを解放する。【選択図】図１
2008521497.tif 000002
【特許請求の範囲】
【請求項１】
シート底部とシート背部との間に所定の角度を設定し、２つの側壁をシート底部およびシート背部に接合した幼児用シートにおいて、
上記シート底部、上記シート背部および上記２つの側壁の各パーツを含むリングとして構成し、上記リングの外縁部に比較的大きなアクセス開口を形成するとともに上記リングの内縁部に比較的小さな開口を形成したベースセグメント、および
露出縁部をもつ凹形構造として構成し、上記シート底部、上記シート背部および上記の２つの側壁を合体する接合セグメントからなり、
上記接合セグメントの露出縁部を、合体線において上記ベースセグメントの内縁部に係合してバスケット形状に構成したことを特徴とする幼児用シート。
【請求項２】
上記接合セグメントが、上記ベースセグメントに係合していない場合、上記ベースセグメント内に嵌合できる請求項１記載の幼児用シート。
【請求項３】
さらにヒンジを有し、このヒンジによって上記ベースセグメントと上記接合セグメントとを連結し、また上記接合セグメントを上記セグメント内に回動できるように構成した請求項１記載の幼児用シート。
【請求項４】
さらにヒンジを有し、このヒンジによって上記ベースセグメントと上記接合セグメントとを連結し、また上記接合セグメントを上記ベースセグメント内に回動できるように構成し、そして上記接合セグメントを上記ベースセクションにロックする少なくとも一つのロック装置を有する請求項１記載の幼児用シート。
【請求項５】
シート底部とシート背部との間に所定の角度を設定し、２つの側壁をシート底部およびシート背部に接合した幼児用シートにおいて、
上記シート底部と上記シート背部との接続部を形成するとともに、上記シート底部および上記シート背部の各パーツを有する可撓性支持部材を有し、上記側壁間の空間に押し戻すことができるように上記支持部材を構成したことを特徴とする幼児用シート。
【請求項６】
さらに、上記支持部材の両側に開口を有し、これら開口を上記シート底部、上記シート背部および上記側壁内に延長した請求項５記載の幼児用シート。
【請求項７】
幼児用シートのリクライニング角度調節装置であって、
幼児用シートがピボット部材とともに回動できるようにこの幼児用シートに取り付けた回動式ピボット部材、
ダイヤルおよび少なくとも一つの制御されたピボット部材に対して同心である連結手段によって幼児用シートに相互連結した少なくとも一つのダイヤル、
上記の制御されたピボット部材および上記ダイヤルを固定支持構造体に相互連結するロック装置であって、上記ピボット部材および上記ダイヤルが、上記ロック装置が上記支持構造体に係合しているときには、回転しないように構成したロック装置、
上記ロック装置を上記支持構造体に係合したままにしておくバイアス作用装置、および
上記ダイヤルに相互連結し、上記ダイヤルを掴むことによって動作し、解放構造体の操作によって上記バイアス作用装置の動作を相殺し、上記ロック装置を上記支持構造体から引き離して、上記ダイヤルおよび上記シートを回動し、上記シートのリクライニング角度を調節できるように構成した解放構造体を有することを特徴とする幼児用シートのリクライニング角度調節装置。
【請求項８】
上記ロック装置が、
制御ギヤ、
上記シートが一体的に回動する上記の制御されたピボット部材に取り付けたピボットギヤであって、上記制御ギヤに当接し、これと相互作用するピボットギヤ、および
上記支持構造体に取り付けた静止ギヤであって、上記制御ギヤと相互作用する静止ギヤを有し、
上記制御ギヤを保持する上記バイアス作用装置が上記ピボットギヤと上記静止ギヤの両方に係合し、そして上記解放構造体の動作によって、上記制御ギヤが上記静止ギヤから切り離されるように構成した請求項７記載の幼児用シートのリクライニング角度調節装置。
【請求項９】
上記制御ギヤがダイヤル軸にそって移動可能であり、そして上記解放構造体が、上記ダイヤルを上記制御ギヤに相互連結し、上記ダイヤルを上記ダイヤル軸にそって滑るように取り付け、かつ上記制御ギヤを上記静止ギヤとの係合から切り離す請求項８記載の幼児用シートのリクライニング角度調節装置。
【請求項１０】
上記ピボット部材を上記シートの両側に取り付けるとともに、上記シート底部の上少なくとも２インチであって上記シート背部から内側に少なくとも１インチ離して設ける請求項７記載の幼児用シートのリクライニング角度調節装置。
【請求項１１】
幼児用シートのリクライニング角度調節装置であって、
両側部分、上面および外側背面を有する背部、および回動するピボット部材を有する幼児用シートであって、上記ピボット部材と一体的に回動し、そして支持構造体によって支持面から支持された幼児用シート、
上記幼児用シートの上記の外側背面と相互連結する少なくとも一つのスロット、
上記支持構造体の孔内で回動するワイヤ支持体であって、一部が上記の少なくとも一つのスロットに受け取られ、かつ滑り動作し、そして上記の少なくとも一つのスロットに沿う異なる位置にワイヤが存在するときに異なるリクライニング角度で上記シートを支持するワイヤ支持体、
上記シートの外側背面と相互連結したロック部材、
上記ロック部材内に間隔をおいて形成した凹部であって、上記の少なくとも一つのスロットに沿う異なる位置で上記支持ワイヤを受け取る凹部、および
上記凹部を上記ワイヤから引き離すように移動させて上記ワイヤを解放し、上記の少なくとも一つのスロットに沿う位置を変更する、上記ロック部材上の解放制御部材を有することを特徴とする幼児用シートのリクライニング角度調節装置。
【請求項１２】
上記ロック部材が回動可能で、このロック部材の一部を移動させて、受け取られた支持ワイヤを解放する請求項１１記載の幼児用シートのリクライニング角度調節装置。
【請求項１３】
上記ロック部材が回動可能で、このロック部材の上記シート背部に最も近い部分を押圧し、受け取られた支持ワイヤを解放する請求項１１記載の幼児用シートのリクライニング角度調節装置。
【請求項１４】
上記シート背部を保持すると同時に、制御されることができるように上記ロック部材を設けた請求項１１記載の幼児用シートのリクライニング角度調節装置。
【請求項１５】
上記シート底部上少なくとも２インチで、上記シート背部から少なくとも内側に１インチ離れた位置において上記ピボット部材を上記両側に取り付けた請求項１１記載の幼児用シートのリクライニング角度調節装置。
【発明の詳細な説明】
【技術分野】
【０００１】
本願は、２００４年１１月２９日に出願された米国仮特許出願第６０/６３１，４６２の優先権を主張する出願である。また、その内容は、本願明細書にも援用するものである。
【０００２】
本発明は全体としては幼児用シートに関し、具体的には出荷輸送に便利な小形のサイズで、シートのリクライニング操作を簡単にする機構を有する幼児用シートに関する。
【０００３】
幼児用ブランコは、あくまでも幼児をあやすために保護者が使用するものである。基本的に、このブランコは、シートを支持するフレーム内に幼児を安全に確保し、幼児に前後左右のブランコ運動を与えるシートである。
【背景技術】
【０００４】
シートの基本的構造自体は多くの異なる方法で構成されている。即ち、単純なワイヤフレームに布製スリングを設け、布製のパッドをもつ、現在は普通に利用されているプラスチックシェルを設けて構成する。一部のシートは、リクライニング機能をもち、底部と背部との間の角度を調節することができる構成になっているが、多くのシートは、シート全体を後に倒すリクライニング機能を備えるものである。この構成の場合、シートのリクライニング時、底部と背部は変化しないが、床に対する底部と背部の角度は変化する。
【発明の開示】
【発明が解決しようとする課題】
【０００５】
従来の多くのシェル形式シートの場合、シートを回動して底部と背部との接合部でリクライニング操作を行うもので、支持ワイヤとスロット付きストップを利用して、シートを直立させるか、あるいはいくつかの傾斜角度に保持する。即ち、支持ワイヤをスイングハンガー支持ロッドによって保持するとともに、これを回動させる構成で、ワイヤの水平部分は、シート背部外側の下向きに開口したフック状固定具内に保持する構成である。この構成は費用効率がよく、同時に構造的にも安全であるが、リクライニングシステムがシートの正面からは見えない。従って、ブランコの後に立った状態で保護者が両手を使用する必要がある。あるいは、シート角度を調節するために、シート周囲に手を伸ばす必要がある。例えば、片手でシートを支持するとともに、もう一方の片手で支持ワイヤの位置を変える必要がある。
【０００６】
シェル形式シートの別な問題点は、出荷輸送時のサイズがかなり大きい点である。従来のプラスチック製シェル形式シートは大きくまた嵩張っているため、取り外した幼児用ブランコでさえその出荷輸送時のサイズがかなりある。
【０００７】
即ち、リクライニング位置を変える操作が簡単な上に、リクライニング角度の変更時に幼児が座ったシートが後ろに倒れる傾向を最小限に抑えた幼児用シートがあれば、きわめて有利である。また、シート両側のハンドルを操作してシート全体を望む位置に回動できる構成があれば、これもまたきわめて有効である。さらに、シートの出荷輸送時のサイズを小形化できるシェル形式シート設計があれば経済的に相当有利である。
【課題を解決するための手段】
【０００８】
本発明の好適な実施態様の場合、シートを二つの組み立て式部品から構成することによってシートの出荷輸送時のサイズを小型化する。シートを組み立てた場合、シート底部は固定角度でシート背部に接続され、２つの側壁部が幼児を支えるバスケット状支持体を構成する。シートを嵩張るものにするのは、この“バスケット”の深さである。この好適な実施態様のシートの場合、シート底部、シート背部および２つの側壁の各パーツを有するリングとしてベースセグメントを構成する。このリング状のベースセグメントは、リングの一縁部に比較的大きな手を伸ばせる開口およびリングの他の縁部に比較的小さな接合開口を有するものである。シートの第２パーツは、凹部構造として形成された、露出縁部をもつ接合セグメントで、シート底部、シート背部および両側部の合体領域を形成する。接合部分の露出縁部は、接合線でベースセグメントの接合開口に係合し、完全なバスケット形状を構成する。
【０００９】
好適な実施態様の場合、バスケット底部周囲の全側部とともに、バスケットの底部が他のバスケット部分に収容され、使用時に所定位置に引き出され、ロックされることによりサイズを小型化する。この構造体の接合セグメントおよびベースセグメントの両方が、シート底部、シート背部おおび両側部の各パーツを有する。従って、これら両セグメントが完全な連続構造体になるため、構造的剛度を維持できる。さらに、接合部分が、シート底部、シート背部および側部を接合する表面の強度を強め、そしてベースセグメントが、比較的大きな手を伸ばせる開口周囲に前足のレストおよびロール状の縁部を有しているため、ベースセグメントの剛度が増す。
【００１０】
好適な実施態様の場合、シート背部内のヒンジによって両セグメントを保持するとともに、両者の間の湾曲接合線の周りでタブとスロットとを相互ロックすることによって両セグメントを保持する。これらタブのうちいくつかにつめ（ｃａｔｃｈ）を形成しているため、タブを対応するスロットにロックでき、従って接合セグメントがベースセグメントから絶対に外れことはない。また、両セグメントは形状が対称であるため、常に正しく組み立てることができる。シート内の幼児の安全および心地よさを確保するためには、接合セグメントにタブを形成し、ベースセグメントにスロットを形成し、幼児が占めている空間にタブが突き出ないようにすることが好ましい。
【００１１】
シート内の幼児の安全性も、本発明の好適な実施態様のリクライニング機構を設計するさい考慮すべき点である。シート底部とシート背部との接合軸線の周りでシートを傾けるのではなく、好適な実施態様の場合、シート側壁にピボット部材を取り付け、これらピボット部材を、シート底部とシート背部との接合軸線のほぼ真上に設ける。この構成の場合、ピボット点がシートに座っている幼児の重心のすぐ近くに位置し、幼児がリクライニング軸上でほぼバランスを取ることができるため、幼児のリクライニング操作がきわめて簡単になる。また、このように設計すると、保護者がシートのリクライニング角度を調節している間、シートがひっくり返る恐れがなくなる。
【００１２】
本発明のもう一つの安全性に関する特徴は、保護者が両手でピボット制御機構を掴み、ピボット制御機構と一体的にシートを直接回動できるため、シートを強く掴めることを許す機構である。この機構があるため、保護者が、シートを完全に制御でき、シートおよび幼児が行き過ぎることを確実に防止できる。好適な実施態様の場合、リクライニング角度はシートのピボット部材に位置するダイヤルで制御できる。保護者は、ダイヤルをシートの方向に押し、ブランコフレームに取り付けられた固定外側ハウジングからシートを外し、次にシートにまだ取り付けられているダイヤルを回し、シートを望む角度に設定するだけでよい。ばね動作式のダイヤルを解放すると、既に選択してある角度にシートをロックできる。
【００１３】
本発明の別な実施態様は、シート背部の後ろ側に形成したスロット内を滑るワイヤ支持体を利用する片手操作式リクライニング角度制御装置である。ワイヤ支持体と相互作用する凹部を間隔をおいて形成したロック部材によって、いくつかのリクライニング位置を設定する。シート背部の上部を保持している保護者の片手によってロック部材を解放する。シート背部を保持している同じ手でロック部材を解放すると、ロック部材からワイヤ支持体が解放されるため、保護者が、シート背部を安全に保持した状態でシートの角度を調節できる。
【００１４】
本発明は、従来ブランコシートに認められるいくつかの問題の解決策を提供するものである。即ち、本発明は、シートの出荷輸送サイズを小形化し、出荷輸送コストを削減するシート設計を提供するものである。また、本発明は、シート内の幼児の位置がずれないようにシートを完全に制御した状態で、保護者がリクライニング角度を安全に調節できるリクライニング角度調節機構を提供するものである。
【発明を実施するための最良の形態】
【００１５】
図１は、２つの組み立て式セグメント、即ち接合セグメント１２およびベースセグメント１４から組み立てた幼児用シート１０を示す本発明の好適な実施態様を示す側面図である。この幼児用シート１０の場合、シート底部１８、シート背部２０および２つの側壁２２の各パーツからなるリングとして構成したベースセグメント１４で構成する。このリング状のベースセグメント１４は、リングの外縁部２６に比較的大きな手を伸ばせる開口をもつとともに、リングの内縁部に比較的小さい接続開口をもつ。シートの第２パーツは、縁部が露出した凹構造として構成され、かつシート底部１８、シート背部２０および側壁２２の集合点を形成する接合セグメント１２である。接合セグメント１２の露出縁部が接合線２３においてベースセグメント１４の内側開口と係合し、連続的なバスケット形状を形成する。
【００１６】
接合セグメント１２は、ヒンジ１６、ヒンジピン１７およびロックタブ２８、３０によってベースセグメント１４内に保持する。接合セグメント１２およびベースセグメント１４が一緒に作用してシート底部１８、シート背部２０および側壁２２（図１には一つの側壁のみを示す）を構成する。図１には、脚部支持体２４およびロール状の外側縁部２６（これら両者がベース部分１４に構造強度を与える）も示してある。
【００１７】
幼児用シート１０の製作現場からの出荷輸送時には、ヒンジ１６でのみ接合セグメント１２をベースセグメント１４に取り付ける。出荷輸送時のサイズを小形化するために、梱包時に矢印Ａ、Ｂで示すように、接合セグメント１２を上に回動し、ベースセグメント１４に収容する。そして組み立てるさいには、矢印Ａ、Ｂとは反対方向下向きにベースセグメントから接合セグメント１２を回動し、ロックタブ２８、３０をベースセクション１４内の取り付けスロットに挿入するだけでよい。
【００１８】
図２は、図１に示した幼児用シート１０における接合セグメント１２を示す上面図である。なお、図２の接合セグメント１２は凹面状であり、露出縁部３４から離れた位置に中心部分３２がある皿型である。露出縁部３４は、ベース部分１４の内縁部３５に係合する形状である（図３）。シート底部１８、シート背部２０および側壁２２はいずれも接合セグメント１２内で合体する。なお、これらの配置および向きは、図１に合わせてある。接合セグメント１２にヒンジ部材３６を形成し、ベースセグメント１４の補助的なヒンジ部材に係合するヒンジ１６（図１）のヒンジピン１７に係合する。前部ロックタブ２８および側部ロックタブ３０は、ベースセグメント１４（図３）の対応するタブスロット４４および４６に挿入し、接合セグメント１２をベースセグメント１４内においてロックする。通常の矢じり形の端部をもつロックタブ２８、３０を使用でき、これらを一旦対応するスロットに挿入嵌合すると、タブが外れる恐れはまったくない。
【００１９】
図３は、図１示した幼児用シート１０におけるベースセグメント１４の上面図である。図２の接合セグメント１２の場合と同様に、このベースセグメント１４も凹面状で皿型であるが、図３の構成の場合、中心孔４０の内側縁部３５に、これら２つのセグメントを組み立てるさいに、接合セグメント１２の露出縁部３４が嵌合する。なお、シート底部１８、シート背部２０および側壁２２の配置および向きは、図１に合わせてある。ベースセグメント１４に、ヒンジ１６のヒンジピン１７を受け取るヒンジ部材４２を形成する（図１）。接合セグメント１２上の相補的なヒンジ部材３６もこのヒンジピン１７を受け取り、図１のヒンジ１６を構成する。接合セグメント１２の前部ロックタブ２８および側部ロックタブ３９がベースセグメント１４の対応するタブスロット４４および４６に挿入し、ベースセグメント１４内で接合セグメント１２をロックする。接合セグメント１２およびベースセグメント１４の両者にはスロットや孔などが露出しているが、これらは本発明に適切なものではない。これらは、例えば、詰め物や安全ベルトを保持するものである。
【００２０】
図４は、可撓性の支持ストラップ５２を所定の場所に設けた幼児用シート５０を示す本発明の別な実施態様の斜視図であり、そして図５は、支持ストラップ５２を幼児用シート５０内で押し戻した状態にした図４と同じ幼児用シート５０の斜視図である。図４は、支持ストラップ５２がシート底部５１とシート背部５３とを接続した使用状態にある幼児用シート５０を示す図であるが、図示を明瞭にするために、付属品やリクライニング機構については図４から省略してある。この幼児用シート５０は、側部構成が図１の完成幼児用シート１０と実質的に同じである。従って、図４に示すように、深さ方向の寸法が従来と同様に大きく、梱包コストおよび出荷輸送コストが高い。
【００２１】
なお、幼児用シート５０の場合は、図１および図２に示すような、通常の全長にわたる接合セグメントを使用しなくても形成できるが、シート底部、シート背部および側部の合体位置に最も近い接続領域については、可撓性支持ストラップ５２およびこの支持ストラップ５２の両側に形成した開口部５４で構成する。さらに、支持ストラップ５２については、薄い中実材料の可撓性ヒンジを形成するために、領域４９、５５、５７において厚さが小さい可撓性プラスチック材料で構成できる。これは、プラスチック製ヒンジに通常使用されているものと同じタイプのプラスチックからなり、強度がきわめて強く、また可使時間がきわめて長い。
【００２２】
このようなプラスチック製のヒンジおよびこのような構造のストラップ５２を使用しているため、図５に示すように、幼児用シート５０の内部空間にストラップ５２を単に押し戻すだけで、幼児用シート５０内にストラップ５２を収容でき、そのまま出荷輸送できる。そして、幼児用シート５０を使用する場合には、ストラップ５２を引き出し、これを図４に示す位置にもってくるだけでよい。この簡単な構造を採用しているため、出荷輸送時の幼児用シート５０の深さを浅くでき、梱包、出荷輸送コストを大幅に削減できる。
【００２３】
図６は、好適な実施態様に従って構成した２つのリクライニング調節装置５６のうち一つをもつ幼児用シート１０の斜視図である。第２の調節装置５６は、シート１０の反対側に設ける。この調節装置５６を設けると、保護者は単に２つのダイヤル５８を幼児用シート１０の方向に押すだけでよく、支持チューブ６２に固着した外側ハウジング６０から幼児用シート１０が外れる。この場合、保護者は、ダイヤル５８を使用して、支持チューブ６２に対して望む位置にシート１０を回動できる。ばね作動式解放ダイヤル５８が、予め選択されたリクライニング角度であって、シート１０とダイヤル５８との連結を維持するリクライニング角度にシートをロックする。
【００２４】
本発明の好適な実施態様に従って調節装置５６を設けると、シート１０内の幼児の安全性が増す。本実施態様では、従来のように、シート底部およびシート背部の接続部６４において軸を中心にしてシートを不安定に回動するのではなく、上記接続部６４上において幼児用シート１０の反対側に調節装置５６およびピボット部材（図示省略）を設ける。なお、シート底部１８（図１）から上に少なくとも２インチ離し、かつシート背部２０（図２）から内側に１インチ離して設ける。これによって、シートに座っている幼児の重心に、あるいはそのきわめて近くにピボット点を設定でき、かつ保護者がシートのリクライニング角度を調節している間、幼児用シート１０が後に傾く傾向を大きく抑制することができる。
【００２５】
図７Ａは、図６と同じ方向からみた、一つのリクライニング調節装置５６の好適な実施態様の展開斜視図であり、そして図７Ｂは、図７Ａに示した側とは反対側からみたリクライニング装置５６の展開斜視図である。以下、図７Ａおよび図７Ｂについて説明する。
【００２６】
外側ハウジング６０をブランコフレームの支持チューブ６２に固着し、支持チューブ６２が載っている床あるいは地面（図示省略）に対して所定位置に固定する。そして、内側ハウジング６７を幼児用シート１０に取り付け、これを回動する。外側ハウジング６０は、内面に歯をもつ静止リングギヤ６１を有し、そして内側ハウジング６７は、リングギヤ６１と同じピボットリングギヤ６５を有する。静止ギヤ６１とピボットギヤ６５との間にコントロールギヤ６８を設ける。このコントロールギヤ６８は、内側ハウジング６７上のスピンドル７２に嵌合し、この周りで回転する軸方向孔７０を有する。調節装置５６を完全に組み立てると、コントロールギヤ６８が静止ギヤ６１内に係合するとともにピボットギヤ６５内に部分的に係合し、圧縮ばね７４によって静止ギヤ６１内に保持される。このコントロールギヤ６８の位置で、静止リングギヤ６１およびピボットギヤ６５がともに同じ回転位置にロックされ、これによって内側ハウジング６７およびシート１０が外側ハウジング６０および支持バー６２に対して固定位置にロックされる。
【００２７】
ピボットギヤ６５の静止ギヤ６１とのロックを一時的に外し、各パーツに対して共通の軸７６を中心にしてシート１０を回動させることがダイヤル５８の機能である。このために、ダイヤル５８の孔８１および外側ハウジング６０の孔８２にねじ込まれるねじ７８によってコントロールギヤ６８にダイヤル５８を固着し、これをコントロールギヤ６８上のスリーブ８４にねじ込む。次に、ダイヤル５８をシート１０の方向に押出し、コントロールギヤ６８をさらに内側ハウジング６７の押し込むとともに、外側ハウジング６０内にある静止ギヤ６１との接触から外す。これによって、内側ハウジング６７およびシート１０が解放され、動作できるようになるが、ダイヤル５８との接続は維持されるため、シート１０が、ダイヤル５８が回転する方向に動作する。ダイヤル５８が解放されると、ばね７４がコントロールギア６８を外側ハウジング６０内に押し戻し、シート１０が既に回動している新しい位置にこれをロックする。
【００２８】
このリクライニング調節装置５６の簡単な操作によって、リクライニング機構を解放し、両手でこの機構およびシートを回動するだけで、保護者がシート１０のリクライニング角度を調節できる。シートに幼児がいるかどうかに関係なく、シートがほぼシートの重心に位置しているため、シートの回動は簡単である。リクライニングシート調節装置５６は、シート１０の一方の側部にのみ設けることも可能であるが、シート１０の両側に調節装置５６を設けると、安定性がさらに増す。
【００２９】
図８は、シート１０の外側背面８８に設けた片手操作式のリクライニング制御装置８６の別な実施態様の斜視図である。リクライニング制御装置８６が、シート１０の背面８８に形成したスロット９２内を滑るワイヤ支持体９０を受け取り、これらをロックする。スロット９２の向きは、垂直面内にあり、ワイヤ支持体９０が自由に回動する孔９４に挿入することによってワイヤ支持体を支持チューブ６２に取り付ける。従って、ワイヤ支持体９０が、ワイヤ支持体９０のスロット９２内における位置に応じて異なるリクライニング角度でシート１０を支持する。
【００３０】
異なる角度位置でワイヤ支持体９０を受け取る、離して設けた凹部９８を有するロック部材９６によってシート１０のいくつかのリクライニング位置を設定する。操作時には、シート背部８８の上部１０２を同時に保持した状態で、ロック部材９６の上部１００を保護者の手によって掴む。シート背部８８の上部１０２に向けてロック部材９６の上部部分１００を押し付けると、ロック部材９６がピボット点１０４上で回動し、ワイヤ支持体９０を受け取っているいずれかの凹部９８内からワイヤ支持体９０を解放する。この場合には、保護者がシートの上部部分１０２を安全に保持した状態で、シート１０の角度を調節できる。
【図面の簡単な説明】
【００３１】
【図１】２つの対応するセグメントで構成した幼児用シートを示す本発明の好適な実施態様の側面図である。
【図２】図１に示した幼児用シートの接合セグメントを示す上面図である。
【図３】図１に示した幼児用シートのベースセグメントを示す上面図である。
【図４】可撓性支持ストラップをもつ幼児用シートを示す本発明の別な実施態様の斜視図である。
【図５】可撓性支持ストラップを幼児用シート内に押し込んだ状態にある、図４の幼児用シートの別な実施態様の斜視図である。
【図６】好適な実施態様のダイヤル式リクライニング角度調節装置をもつ幼児用シートの斜視図である。
【図７Ａ】図６に示したダイヤル式リクライニング角度調節装置の好適な実施態様の展開斜視図である。
【図７Ｂ】図７Ａに示した反対側から見たダイヤル式リクライニング角度調節装置の好適な実施態様の展開斜視図である。
【図８】片手で操作するリクライニング角度調節装置の別な実施態様を示す斜視図である。
【符号の説明】
【００３２】
１０：幼児用シート、
１２：接合セグメント、
１４：ベースセグメント、
１６：ヒンジ、
１７：ヒンジピン、
１８：シート底部、
２０：シート背部、
２２：側壁、
２８、３０：ロックタブ、
３４：露出端部、
４２：ヒンジ部材、
４４：スロット、
５０：幼児用シート、
５２：支持ストラップ、
５６：調節装置、
５８：ダイヤル、
６２：支持チューブ、
６０：外側ハウジング、
６７：内側ハウジング、
６８：コントロールギヤ、
７４：圧縮ばね。
【図１】
2008521497.tif 000003
【図２】
2008521497.tif 000004
【図３】
2008521497.tif 000005
【図４】
2008521497.tif 000006
【図５】
2008521497.tif 000007
【図６】
2008521497.tif 000008
【図７Ａ】
2008521497.tif 000009
【図７Ｂ】
2008521497.tif 000010
【図８】
2008521497.tif 000011
【手続補正書】
【提出日】平成20年2月22日(2008.2.22)
【手続補正１】
【補正対象書類名】明細書
【補正対象項目名】全文
【補正方法】変更
【補正の内容】
【発明の詳細な説明】
【技術分野】
【０００１】
本願は、２００４年１１月２９日に出願された米国仮特許出願第６０/６３１，４６２の優先権を主張する出願である。また、その内容は、本願明細書にも援用するものである。
【０００２】
本発明は全体としては幼児用シートに関し、具体的には出荷輸送に便利な小形のサイズで、シートのリクライニング操作を簡単にする機構を有する幼児用シートに関する。
【０００３】
幼児用ブランコは、あくまでも幼児をあやすために保護者が使用するものである。基本的に、このブランコは、シートを支持するフレーム内に幼児を安全に確保し、幼児に前後左右のブランコ運動を与えるシートである。
【背景技術】
【０００４】
シートの基本的構造自体は多くの異なる方法で構成されている。即ち、単純なワイヤフレームに布製スリングを設け、布製のパッドをもつ、現在は普通に利用されているプラスチックシェルを設けて構成する。一部のシートは、リクライニング機能をもち、底部と背部との間の角度を調節することができる構成になっているが、多くのシートは、シート全体を後に倒すリクライニング機能を備えるものである。この構成の場合、シートのリクライニング時、底部と背部は変化しないが、床に対する底部と背部の角度は変化する。
【発明の開示】
【発明が解決しようとする課題】
【０００５】
従来の多くのシェル形式シートの場合、シートを回動して底部と背部との接合部でリクライニング操作を行うもので、支持ワイヤとスロット付きストップを利用して、シートを直立させるか、あるいはいくつかの傾斜角度に保持する。即ち、支持ワイヤをスイングハンガー支持ロッドによって保持するとともに、これを回動させる構成で、ワイヤの水平部分は、シート背部外側の下向きに開口したフック状固定具内に保持する構成である。この構成は費用効率がよく、同時に構造的にも安全であるが、リクライニングシステムがシートの正面からは見えない。従って、ブランコの後に立った状態で保護者が両手を使用する必要がある。あるいは、シート角度を調節するために、シート周囲に手を伸ばす必要がある。例えば、片手でシートを支持するとともに、もう一方の片手で支持ワイヤの位置を変える必要がある。
【０００６】
シェル形式シートの別な問題点は、出荷輸送時のサイズがかなり大きい点である。従来のプラスチック製シェル形式シートは大きくまた嵩張っているため、取り外した幼児用ブランコでさえその出荷輸送時のサイズがかなりある。
【０００７】
即ち、リクライニング位置を変える操作が簡単な上に、リクライニング角度の変更時に幼児が座ったシートが後ろに倒れる傾向を最小限に抑えた幼児用シートがあれば、きわめて有利である。また、シート両側のハンドルを操作してシート全体を望む位置に回動できる構成があれば、これもまたきわめて有効である。さらに、シートの出荷輸送時のサイズを小形化できるシェル形式シート設計があれば経済的に相当有利である。
【課題を解決するための手段】
【０００８】
本発明の好適な実施態様の場合、シートを二つの組み立て式部品から構成することによってシートの出荷輸送時のサイズを小型化する。シートを組み立てた場合、シート底部は固定角度でシート背部に接続され、２つの側壁部が幼児を支えるバスケット状支持体を構成する。シートを嵩張るものにするのは、この“バスケット”の深さである。この好適な実施態様のシートの場合、シート底部、シート背部および２つの側壁の各パーツを有するリングとしてベースセグメントを構成する。このリング状のベースセグメントは、リングの一縁部に比較的大きな手を伸ばせる開口およびリングの他の縁部に比較的小さな接合開口を有するものである。シートの第２パーツは、凹部構造として形成された、露出縁部をもつ接合セグメントで、シート底部、シート背部および両側部の合体領域を形成する。接合部分の露出縁部は、接合線でベースセグメントの接合開口に係合し、完全なバスケット形状を構成する。
【０００９】
好適な実施態様の場合、バスケット底部周囲の全側部とともに、バスケットの底部が他のバスケット部分に収容され、使用時に所定位置に引き出され、ロックされることによりサイズを小型化する。この構造体の接合セグメントおよびベースセグメントの両方が、シート底部、シート背部おおび両側部の各パーツを有する。従って、これら両セグメントが完全な連続構造体になるため、構造的剛度を維持できる。さらに、接合部分が、シート底部、シート背部および側部を接合する表面の強度を強め、そしてベースセグメントが、比較的大きな手を伸ばせる開口周囲に前足のレストおよびロール状の縁部を有しているため、ベースセグメントの剛度が増す。
【００１０】
好適な実施態様の場合、シート背部内のヒンジによって両セグメントを保持するとともに、両者の間の湾曲接合線の周りでタブとスロットとを相互ロックすることによって両セグメントを保持する。これらタブのうちいくつかにつめ（ｃａｔｃｈ）を形成しているため、タブを対応するスロットにロックでき、従って接合セグメントがベースセグメントから絶対に外れことはない。また、両セグメントは形状が対称であるため、常に正しく組み立てることができる。シート内の幼児の安全および心地よさを確保するためには、接合セグメントにタブを形成し、ベースセグメントにスロットを形成し、幼児が占めている空間にタブが突き出ないようにすることが好ましい。
【００１１】
シート内の幼児の安全性も、本発明の好適な実施態様のリクライニング機構を設計するさい考慮すべき点である。シート底部とシート背部との接合軸線の周りでシートを傾けるのではなく、好適な実施態様の場合、シート側壁にピボット部材を取り付け、これらピボット部材を、シート底部とシート背部との接合軸線のほぼ真上に設ける。この構成の場合、ピボット点がシートに座っている幼児の重心のすぐ近くに位置し、幼児がリクライニング軸上でほぼバランスを取ることができるため、幼児のリクライニング操作がきわめて簡単になる。また、このように設計すると、保護者がシートのリクライニング角度を調節している間、シートがひっくり返る恐れがなくなる。
【００１２】
本発明のもう一つの安全性に関する特徴は、保護者が両手でピボット制御機構を掴み、ピボット制御機構と一体的にシートを直接回動できるため、シートを強く掴めることを許す機構である。この機構があるため、保護者が、シートを完全に制御でき、シートおよび幼児が行き過ぎることを確実に防止できる。好適な実施態様の場合、リクライニング角度はシートのピボット部材位置するダイヤルで制御できる。保護者は、ダイヤルをシートの方向に押し、ブランコフレームに取り付けられた固定外側ハウジングからシートを外し、次にシートにまだ取り付けられているダイヤルを回し、シートを望む角度に設定するだけでよい。ばね動作式のダイヤルを解放すると、既に選択してある角度にシートをロックできる。
【００１３】
本発明の別な実施態様は、シート背部の後ろ側に形成したスロット内を滑るワイヤ支持体を利用する片手操作式リクライニング角度制御装置である。ワイヤ支持体と相互作用する凹部を間隔をおいて形成したロック部材によって、いくつかのリクライニング位置を設定する。シート背部の上部を保持している保護者の片手によってロック部材を解放する。シート背部を保持している同じ手でロック部材を解放すると、ロック部材からワイヤ支持体が解放されるため、保護者が、シート背部を安全に保持した状態でシートの角度を調節できる。
【００１４】
本発明は、従来ブランコシートに認められるいくつかの問題の解決策を提供するものである。即ち、本発明は、シートの出荷輸送サイズを小形化し、出荷輸送コストを削減するシート設計を提供するものである。また、本発明は、シート内の幼児の位置がずれないようにシートを完全に制御した状態で、保護者がリクライニング角度を安全に調節できるリクライニング角度調節機構を提供するものである。
【発明を実施するための最良の形態】
【００１５】
図１は、２つの組み立て式セグメント、即ち接合セグメント１２およびベースセグメント１４から組み立てた幼児用シート１０を示す本発明の好適な実施態様を示す側面図である。この幼児用シート１０の場合、シート底部１８、シート背部２０および２つの側壁２２の各パーツからなるリングとして構成したベースセグメント１４で構成する。このリング状のベースセグメント１４は、リングの外縁部２６に比較的大きな手を伸ばせる開口をもつとともに、リングの内縁部に比較的小さい接続開口をもつ。シートの第２パーツは、縁部が露出した凹構造として構成され、かつシート底部１８、シート背部２０および側壁２２の集合点を形成する接合セグメント１２である。接合セグメント１２の露出縁部が接合線２３においてベースセグメント１４の内側開口と係合し、連続的なバスケット形状を形成する。
【００１６】
接合セグメント１２は、ヒンジ１６、ヒンジピン１７およびロックタブ２８、３０によってベースセグメント１４内に保持する。接合セグメント１２およびベースセグメント１４が一緒に作用してシート底部１８、シート背部２０および側壁２２（図１には一つの側壁のみを示す）を構成する。図１には、脚部支持体２４およびロール状の外側縁部２６（これら両者がベース部分１４に構造強度を与える）も示してある。
【００１７】
幼児用シート１０の製作現場からの出荷輸送時には、ヒンジ１６でのみ接合セグメント１２をベースセグメント１４に取り付ける。出荷輸送時のサイズを小形化するために、梱包時に矢印Ａ、Ｂで示すように、接合セグメント１２を上に回動し、ベースセグメント１４に収容する。そして組み立てるさいには、矢印Ａ、Ｂとは反対方向下向きにベースセグメントから接合セグメント１２を回動し、ロックタブ２８、３０をベースセクション１４内の取り付けスロットに挿入するだけでよい。
【００１８】
図２は、図１に示した幼児用シート１０における接合セグメント１２を示す上面図である。なお、図２の接合セグメント１２は凹面状であり、露出縁部３４から離れた位置に中心部分３２がある皿型である。露出縁部３４は、ベース部分１４の内縁部３５に係合する形状である（図３）。シート底部１８、シート背部２０および側壁２２はいずれも接合セグメント１２内で合体する。なお、これらの配置および向きは、図１に合わせてある。接合セグメント１２にヒンジ部材３６を形成し、ベースセグメント１４の補助的なヒンジ部材に係合するヒンジ１６（図１）のヒンジピン１７に係合する。前部ロックタブ２８および側部ロックタブ３０は、ベースセグメント１４（図３）の対応するタブスロット４４および４６に挿入し、接合セグメント１２をベースセグメント１４内においてロックする。通常の矢じり形の端部をもつロックタブ２８、３０を使用でき、これらを一旦対応するスロットに挿入嵌合すると、タブが外れる恐れはまったくない。
【００１９】
図３は、図１示した幼児用シート１０におけるベースセグメント１４の上面図である。図２の接合セグメント１２の場合と同様に、このベースセグメント１４も凹面状で皿型であるが、図３の構成の場合、中心孔４０の内側縁部３５に、これら２つのセグメントを組み立てるさいに、接合セグメント１２の露出縁部３４が嵌合する。なお、シート底部１８、シート背部２０および側壁２２の配置および向きは、図１に合わせてある。ベースセグメント１４に、ヒンジ１６のヒンジピン１７を受け取るヒンジ部材４２を形成する（図１）。接合セグメント１２上の相補的なヒンジ部材３６もこのヒンジピン１７を受け取り、図１のヒンジ１６を構成する。接合セグメント１２の前部ロックタブ２８および側部ロックタブ３９がベースセグメント１４の対応するタブスロット４４および４６に挿入し、ベースセグメント１４内で接合セグメント１２をロックする。接合セグメント１２およびベースセグメント１４の両者にはスロットや孔などが露出しているが、これらは本発明に適切なものではない。これらは、例えば、詰め物や安全ベルトを保持するものである。
【００２０】
図４は、可撓性の支持ストラップ５２を所定の場所に設けた幼児用シート５０を示す本発明の別な実施態様の斜視図であり、そして図５は、支持ストラップ５２を幼児用シート５０内で押し戻した状態にした図４と同じ幼児用シート５０の斜視図である。図４は、支持ストラップ５２がシート底部５１とシート背部５３とを接続した使用状態にある幼児用シート５０を示す図であるが、図示を明瞭にするために、付属品やリクライニング機構については図４から省略してある。この幼児用シート５０は、側部構成が図１の完成幼児用シート１０と実質的に同じである。従って、図４に示すように、深さ方向の寸法が従来と同様に大きく、梱包コストおよび出荷輸送コストが高い。
【００２１】
なお、幼児用シート５０の場合は、図１および図２に示すような、通常の全長にわたる接合セグメントを使用しなくても形成できるが、シート底部、シート背部および側部の合体位置に最も近い接続領域については、可撓性支持ストラップ５２およびこの支持ストラップ５２の両側に形成した開口部５４で構成する。さらに、支持ストラップ５２については、薄い中実材料の可撓性ヒンジを形成するために、領域４９、５５、５７において厚さが小さい可撓性プラスチック材料で構成できる。これは、プラスチック製ヒンジに通常使用されているものと同じタイプのプラスチックからなり、強度がきわめて強く、また可使時間がきわめて長い。
【００２２】
このようなプラスチック製のヒンジおよびこのような構造のストラップ５２を使用しているため、図５に示すように、幼児用シート５０の内部空間にストラップ５２を単に押し戻すだけで、幼児用シート５０内にストラップ５２を収容でき、そのまま出荷輸送できる。そして、幼児用シート５０を使用する場合には、ストラップ５２を引き出し、これを図４に示す位置にもってくるだけでよい。この簡単な構造を採用しているため、出荷輸送時の幼児用シート５０の深さを浅くでき、梱包、出荷輸送コストを大幅に削減できる。
【００２３】
図６は、好適な実施態様に従って構成した２つのリクライニング調節装置５６のうち一つをもつ幼児用シート１０の斜視図である。第２の調節装置５６は、シート１０の反対側に設ける。この調節装置５６を設けると、保護者は単に２つのダイヤル５８を幼児用シート１０の方向に押すだけでよく、支持チューブ６２に固着した外側ハウジング６０から幼児用シート１０が外れる。この場合、保護者は、ダイヤル５８を使用して、支持チューブ６２に対して望む位置にシート１０を回動できる。ばね作動式解放ダイヤル５８が、予め選択されたリクライニング角度であって、シート１０とダイヤル５８との連結を維持するリクライニング角度にシートをロックする。
【００２４】
本発明の好適な実施態様に従って調節装置５６を設けると、シート１０内の幼児の安全性が増す。本実施態様では、従来のように、シート底部およびシート背部の接続部６４において軸を中心にしてシートを不安定に回動するのではなく、上記接続部６４上において幼児用シート１０の反対側に調節装置５６およびピボット部材（図示省略）を設ける。なお、シート底部１８（図１）から上に少なくとも２インチ離し、かつシート背部２０（図２）から内側に１インチ離して設ける。これによって、シートに座っている幼児の重心に、あるいはそのきわめて近くにピボット点を設定でき、かつ保護者がシートのリクライニング角度を調節している間、幼児用シート１０が後に傾く傾向を大きく抑制することができる。
【００２５】
図７Ａは、図６と同じ方向からみた、一つのリクライニング調節装置５６の好適な実施態様の展開斜視図であり、そして図７Ｂは、図７Ａに示した側とは反対側からみたリクライニング装置５６の展開斜視図である。以下、図７Ａおよび図７Ｂについて説明する。
【００２６】
外側ハウジング６０をブランコフレームの支持チューブ６２に固着し、支持チューブ６２が載っている床あるいは地面（図示省略）に対して所定位置に固定する。そして、内側ハウジング６７を幼児用シート１０に取り付け、これを回動する。外側ハウジング６０は、内面に歯をもつ静止リングギヤ６１を有し、そして内側ハウジング６７は、リングギヤ６１と同じピボットリングギヤ６５を有する。静止ギヤ６１とピボットギヤ６５との間にコントロールギヤ６８を設ける。このコントロールギヤ６８は、内側ハウジング６７上のスピンドル７２に嵌合し、この周りで回転する軸方向孔７０を有する。調節装置５６を完全に組み立てると、コントロールギヤ６８が静止ギヤ６１内に係合するとともにピボットギヤ６５内に部分的に係合し、圧縮ばね７４によって静止ギヤ６１内に保持される。このコントロールギヤ６８の位置で、静止リングギヤ６１およびピボットギヤ６５がともに同じ回転位置にロックされ、これによって内側ハウジング６７およびシート１０が外側ハウジング６０および支持バー６２に対して固定位置にロックされる。
【００２７】
ピボットギヤ６５の静止ギヤ６１とのロックを一時的に外し、各パーツに対して共通の軸７６を中心にしてシート１０を回動させることがダイヤル５８の機能である。このために、ダイヤル５８の孔８１および外側ハウジング６０の孔８２にねじ込まれるねじ７８によってコントロールギヤ６８にダイヤル５８を固着し、これをコントロールギヤ６８上のスリーブ８４にねじ込む。次に、ダイヤル５８をシート１０の方向に押出し、コントロールギヤ６８をさらに内側ハウジング６７の押し込むとともに、外側ハウジング６０内にある静止ギヤ６１との接触から外す。これによって、内側ハウジング６７およびシート１０が解放され、動作できるようになるが、ダイヤル５８との接続は維持されるため、シート１０が、ダイヤル５８が回転する方向に動作する。ダイヤル５８が解放されると、ばね７４がコントロールギア６８を外側ハウジング６０内に押し戻し、シート１０が既に回動している新しい位置にこれをロックする。
【００２８】
このリクライニング調節装置５６の簡単な操作によって、リクライニング機構を解放し、両手でこの機構およびシートを回動するだけで、保護者がシート１０のリクライニング角度を調節できる。シートに幼児がいるかどうかに関係なく、シートがほぼシートの重心に位置しているため、シートの回動は簡単である。リクライニングシート調節装置５６は、シート１０の一方の側部にのみ設けることも可能であるが、シート１０の両側に調節装置５６を設けると、安定性がさらに増す。
【００２９】
図８は、シート１０の外側背面８８に設けた片手操作式のリクライニング制御装置８６の別な実施態様の斜視図である。リクライニング制御装置８６が、シート１０の背面８８に形成したスロット９２内を滑るワイヤ支持体９０を受け取り、これらをロックする。スロット９２の向きは、垂直面内にあり、ワイヤ支持体９０が自由に回動する孔９４に挿入することによってワイヤ支持体を支持チューブ６２に取り付ける。従って、ワイヤ支持体９０が、ワイヤ支持体９０のスロット９２内における位置に応じて異なるリクライニング角度でシート１０を支持する。
【００３０】
異なる角度位置でワイヤ支持体９０を受け取る、離して設けた凹部９８を有するロック部材９６によってシート１０のいくつかのリクライニング位置を設定する。操作時には、シート背部８８の上部１０２を同時に保持した状態で、ロック部材９６の上部１００を保護者の手によって掴む。シート背部８８の上部１０２に向けてロック部材９６の上部部分１００を押し付けると、ロック部材９６がピボット点１０４上で回動し、ワイヤ支持体９０を受け取っているいずれかの凹部９８内からワイヤ支持体９０を解放する。この場合には、保護者がシートの上部部分１０２を安全に保持した状態で、シート１０の角度を調節できる。ロック部材９６の上部部分１００を解放すると、ロック部材９６とシート１０の背面８８との間のばね（図示省略）がロック部材９６をシートの背面に対して所定位置にロックし、支持ワイヤ９０を対応する正しい凹部に回動しロックする。
【００３１】
これによって、調節時にシート１０の制御を常に維持し、かつ保護者の他方の手でシート内の幼児の安全を確保した状態で、リクライニング制御装置８６によってシート１０の複数のリクライニング角度を設定できる。
【００３２】
本発明は、従来ブランコシートに認められるいくつかの問題の解決策を提供するものである。即ち、本発明は、シートの出荷輸送サイズを小形化し、出荷輸送コストを削減するシート設計を提供するものである。また、本発明は、シート内の幼児の位置がずれないようにシートを完全に制御した状態で、保護者がリクライニング角度を安全に調節できるリクライニング角度調節機構を提供するものである。
【００３３】
なお、以上説明してきた本発明の形態は、単なる一つの好ましい実施態様に過ぎない。各パーツの機能および構成は変更することができる。即ち、以上説明してきた手段の代わり等価な手段を使用することができ、特許請求の範囲に記載した本発明の精神および範囲から逸脱しなくても、一部の特徴については、他の特徴とは独立して適用することができる。
【００３４】
例えば、シート１０、接合セグメント１２およびベースセグメント１４の具体的形状については、変更が可能であり、ヒンジ１６およびロックタブ２８の位置についても、任意に設定することができる。さらに、リクライニング制御装置８６については、押圧作用以外の作用を行うようにしてもよい。
【図面の簡単な説明】
【００３５】
【図１】２つの対応するセグメントで構成した幼児用シートを示す本発明の好適な実施態様の側面図である。
【図２】図１に示した幼児用シートの接合セグメントを示す上面図である。
【図３】図１に示した幼児用シートのベースセグメントを示す上面図である。
【図４】可撓性支持ストラップをもつ幼児用シートを示す本発明の別な実施態様の斜視図である。
【図５】可撓性支持ストラップを幼児用シート内に押し込んだ状態にある、図４の幼児用シートの別な実施態様の斜視図である。
【図６】好適な実施態様のダイヤル式リクライニング角度調節装置をもつ幼児用シートの斜視図である。
【図７Ａ】図６に示したダイヤル式リクライニング角度調節装置の好適な実施態様の展開斜視図である。
【図７Ｂ】図７Ａに示した反対側から見たダイヤル式リクライニング角度調節装置の好適な実施態様の展開斜視図である。
【図８】片手で操作するリクライニング角度調節装置の別な実施態様を示す斜視図である。
【符号の説明】
【００３６】
１０：幼児用シート、
１２：接合セグメント、
１４：ベースセグメント、
１６：ヒンジ、
１７：ヒンジピン、
１８：シート底部、
２０：シート背部、
２２：側壁、
２８、３０：ロックタブ、
３４：露出端部、
４２：ヒンジ部材、
４４：スロット、
５０：幼児用シート、
５２：支持ストラップ、
５６：調節装置、
５８：ダイヤル、
６２：支持チューブ、
６０：外側ハウジング、
６７：内側ハウジング、
６８：コントロールギヤ、
７４：圧縮ばね。